(57)【特許請求の範囲】
【請求項１】
座部の後方に起立するように配設された背もたれ支持フレームと、該支持フレームに支持された所定の高さを有する背もたれと、該背もたれを支持フレームに対して任意の上下方向の位置に支持する位置調節装置とを備えた椅子において、
背もたれ支持フレームは、背もたれの両側部がそれぞれ昇降可能に挿通される一対の支柱と、該一対の支柱の間に亘って配設され、位置調節装置が設けられる水平支持部材と、から構成されており、
前記背もたれの両側部に設けられ、背もたれ支持フレームの支柱が挿通されて昇降可能に支持されるガイド部を有する連結部材取付部と、
両側部に連結部材取付部が設けられた延長背もたれと、
前記背もたれの連結部材取付部と前記延長背もたれの連結部材取付部とに着脱可能に取付けられて、背もたれに延長背もたれを着脱可能に取付ける連結部材と、
を備えたことを特徴とする椅子。
【請求項２】
連結部材取付部は、背もたれおよび延長背もたれを構成する基板と夫々一体に形成されていることを特徴とする請求項１に記載の椅子。
【請求項３】
背もたれに延長背もたれを取付けた際に、連結部材および連結部材取付部を覆うように延長カバーを取付けたことを特徴とする請求項１または２に記載の椅子。
【請求項４】
延長背もたれを連結部材によって背もたれとの間に間隙を形成するように取付け、延長カバーと連結部材とを結合し、該結合位置を前記間隙に対応させて配置したことを特徴とする請求項３に記載の椅子。
【請求項５】
背もたれから延長背もたれを取外した際に、背もたれの連結部材取付部を覆うようにカバーを取付けたことを特徴とする請求項１または２に記載の椅子。
【請求項６】
カバー及び延長カバーに係合部を設けると共に背もたれに着脱可能に固定されるフランジを形成し、背もたれおよび延長背もたれの連結部材取付部に前記係合部を係合するための被係合部を設けたことを特徴とする請求項３ないし請求項５の何れか１項に記載の椅子。
【請求項７】
背もたれおよび延長背もたれの基板と、カバーおよび延長カバーとが、同一の材質によって夫々形成されることを特徴とする請求項３ないし請求項６の何れか１項に記載の椅子。
【発明の詳細な説明】
【０００１】
【産業上の利用分野】
本発明は、家庭やオフィス等で使用される椅子に関し、特に背もたれ自体の高さを変える事ができる椅子に関するものである。
【０００２】
【従来の技術】
一般的に、椅子は、座部の後方に支持支柱を立設し、背もたれをこの支持支柱に位置調節装置を介して取付け、使用者の体格や好み等に対応させるため、座部や背もたれは高さ方向の位置を調節できるようになされており、背もたれの高さも各種用意されている。
【０００３】
そして、これらの椅子は、木材、金属、合成樹脂、天然皮革等の材料を組合せて構成されているが、破損等によって粗大ゴミとして廃棄処分する場合に、最近の環境問題やごみ処理状況などから分解、分別して処分するため、分解が容易で使用する材料の種類を少なくすることが望まれている。
【０００４】
【発明が解決しようとする課題】
しかしながら、上述の椅子においては、以下に列挙する問題があった。
【０００５】
背もたれの高さを容易に変えることができる椅子は未だ存在せず、高さの異なるものに変えるためには、背もたれを交換するか、または椅子自体を交換する必要があるので、これらの交換した背もたれや椅子を廃棄処分するための手間がかかり、また大きな無駄が生じていた。
【０００６】
背もたれの高さの異なる椅子を製造する場合においては、背もたれの高さに応じて構成部材を用意し、組立る必要があるので、用意しなければならない構成部材数が多くなって複雑となると共に製造に手間がかかるため、製造コストを減少させることができなかった。
【０００７】
上記の椅子は、廃棄処分する場合に、使用する材料の種類が多いので分別、分解が容易でなく、材料をリサイクルすることは不可能であった。
【０００８】
本発明は上記問題に着目してなされたもので、背もたれ自体の高さを容易に変えることができる椅子を提供することを目的とするものである。
また、本発明は、背もたれに使用する部材数やその加工工程数を少なくして構造を極めて簡単なものとし、製造段階での手間を省いてコストのかからない椅子を提供することを目的とするものである。
さらに本発明の目的は、椅子に使用する材料の種類を減少させ、廃棄処分する際に分解、分別が容易な椅子を提供することにある。
【０００９】
【課題を解決するための手段】
上記問題を解決するために、本発明の請求項１に係る椅子は、座部の後方に起立するように配設された背もたれ支持フレームと、該支持フレームに支持された所定の高さを有する背もたれと、該背もたれを支持フレームに対して任意の上下方向の位置に支持する位置調節装置とを備えた椅子において、背もたれ支持フレームは、背もたれの両側部がそれぞれ昇降可能に挿通される一対の支柱と、該一対の支柱の間に亘って配設され、位置調節装置が設けられる水平支持部材と、から構成されており、前記背もたれの両側部に設けられ、背もたれ支持フレームの支柱が挿通されて昇降可能に支持されるガイド部を有する連結部材取付部と、両側部に連結部材取付部が設けられた延長背もたれと、前記背もたれの連結部材取付部と前記延長背もたれの連結部材取付部とに着脱可能に取付けられて、背もたれに延長背もたれを着脱可能に取付ける連結部材と、を備えたことを特徴とするものである。
【００１０】
上記連結部材取付部は、背もたれおよび延長背もたれを構成する基板と夫々一体に形成されていることが好ましい。
【００１１】
また、上記背もたれに延長背もたれを取付けた際には、連結部材および連結部材取付部を覆うように延長カバーを取付け、背もたれから延長背もたれを取外した際には、背もたれの連結部材取付部を覆うようにカバーを取付けることが望ましい。
【００１２】
また、延長カバーを取付けた場合においては、延長背もたれを連結部材によって背もたれとの間に間隙を形成するように取付け、延長カバーと連結部材とを結合し、該結合位置を前記間隙に対応させて配置することが望ましい。
【００１３】
さらに、上記カバー及び延長カバーに係合部を設けると共に背もたれに着脱可能に固定されるフランジを形成し、背もたれおよび延長背もたれの連結部材取付部に前記係合部を係合するための被係合部を設けることが好ましい。
【００１４】
また、上記背もたれおよび延長背もたれの基板と、カバーおよび延長カバーとが、同一の材質にによって夫々形成されることが望ましい。
【００１５】
【作用】
上記のような構成とすることにより、背もたれは、その両側部に設けられた連結部材取付部のガイド部に支持フレームの一対の支柱が挿通されることにより昇降可能に支持され、位置調節装置によって支持フレームに対して任意の上下方向の位置に支持される。
背もたれを高くするときは、カバーを取外し、連結部材を背もたれと延長背もたれのそれぞれ両側部に設けられた連結部材取付部に取付けることによって、延長背もたれを背もたれに取付け、延長カバーの係合部を延長背もたれの被係合部に係合すると共にフランジを背もたれに取付け、連結部材及び連結部材取付部を覆い、連結部材を延長カバーに結合する。
背もたれを低くする際には、連結部材と延長カバーとの結合を解除し、背もたれからフランジを取外すと共に係合部を被係合部から係合を解除し、結合延長カバーを取外し、連結部材および延長背もたれを背もたれから取外し、カバーの係合部を背もたれの被係合部に係合すると共にフランジを背もたれに取付け、背もたれの連結部材取付部を覆う。
連結部材を介して延長背もたれを背もたれの両側部に連結するので、構造が簡単で、組立または取外しが容易で、部材数を少なくすることができ、したがって無駄を生じることがなく、製造コストを減少させることもできる。
背もたれおよび延長背もたれの基板と、カバーおよび延長カバーとを同一の材質によって夫々形成した場合にあっては、廃棄処分する際の分解と分別が容易である。
背もたれを高くして延長カバーを取付けた場合にあっては見栄えが良く、また、延長背もたれと背もたれとの間に間隙を形成すると共に、この間隙に対応するように連結部材と延長カバーとの結合部分を配置した場合にあっては、延長カバーと連結部材との結合操作を容易に行うことができる。
さらに、背もたれに位置調節装置が設けられているため、背もたれの高さを変えることができると共に、背もたれを任意の上下方向の位置に支持することができ、体格や好みにより対応させることができる。
【００１６】
【実施例】
以下、本発明の一実施例を図に基づいて説明する。なお、図において同一符号は同一部分または相当部分とする。
【００１７】
この実施例の場合の椅子は、図１および図２に示すように、概略脚部  １に支持支柱  ２を立設し、支持支柱  ２に座部  ３を取付け、座部  ３の下面に支持回動装置  ４を設け、支持回動装置  ４に背もたれ支持フレーム  ５の基端部を取付け、背もたれ  ６が位置調節装置  ７を介して背もたれ支持フレーム  ５に任意の上下方向の位置に支持されてなるものである。
【００１８】
背もたれ支持フレーム  ５は、一対の支柱１０，１０  と、この一対の支柱１０，１０  に亘って設けられた水平支持部材１１とから構成されている。支柱１０は、座部  ３の後方左右から起立するように設けられ、前後方向に傾斜を調節することができるように、その基端部を支持回動装置  ４に取付けられている。水平支持部材１１は、その両端部が支柱１０の所定の高さに固着されている。この実施例の場合、背もたれ支持フレーム  ５は、断面が円形の中実または中空の棒材が用いられている。なお、この実施例では背もたれ支持フレーム  ５の基端部を支持回動装置  ４に取付けて前後方向に傾斜を調節することができるように構成しているが、背もたれ支持フレーム  ５の基端部を脚部  １、支持支柱  ２または座部  ３に取付け、背もたれ支持フレーム  ５自体の弾性によって背もたれ  ６を前後方向に移動可能とすることもできる。
【００１９】
背もたれ  ６は、基板１４の前面に軟質のウレタンフォーム等の弾性発泡体からなるクッション部材１５を配置し、これらの基板１４とクッション部材１５の略全体を上張部材１６によって包み込むように覆われて構成されたもので（図２３参照）、背中に適合するように、湾曲させて形成されている（図５および図２４参照）。基板１４の表面には、剛性を高めるために、複数のリブ１４ａ  が設けられている（図６および図１１参照）。クッション部材１５は、基板１４との二重成形により一体成形されたもので、二重成形時に基板１４の表面の形状に合わせて材料が充填されて凝固する。したがって、クッション部材１５はリブ１４ａ  を挟持するように密着し、基板１４から脱落したりずれたりすることがないので、特に接着剤を用いて接着したり、ねじ止め等を行う必要はない。また、クッション部材１５は柔軟性が非常に高いので、変形させることによってリブ１４ａ  との密着が解かれ、基板１４から容易にはがすことも可能である。なお、背もたれ  ６は、基板１４とクッション部材１５とを二重成形する金型形状によって大きさや湾曲等の形状を設定することができる。
【００２０】
基板１４は、例えばポリプロピレン等の合成樹脂等を用いた量産性に富む成形品で、図５および図６に示すように、その両側部には支柱１０の先端を挿通して背もたれ  ６を昇降可能に支持するためのガイド部１９と、このガイド部１９に連続して支柱１０の端部を収容すると共に後述する連結部材を取付けるための連結部材取付部２０とが一体に形成されている。また、連結部材取付部２０の周囲には上張り部材１６に固着された嵌合部材１６ａ  を圧入して係止するための係止溝２１が設けられ、さらに、ガイド部１９の近傍下面にはねじ孔２２が形成されている。
【００２１】
連結部材取付部２０は、基板の側方に開放する空間の側壁２０ａ  にリブ２５が水平方向に形成され、リブ２５には連結部材が嵌合される凹部２５ａ  と、その略中央に位置するねじ孔２５ｂ  とが形成されてなるものである。また、この連結部材取付部２０の上方には、被係合部としての開放孔２６が形成されている。このように構成された背もたれ  ６の高さで椅子を使用する場合は、図１１に示すように、ガイド部１９と連結部材取付部２０と係止溝２１とに亘って覆うカバー２８が取付けられる。
【００２２】
カバー２８は、図７ないし図１０に示すように、連結部材取付部２０の開放孔２６と係合するための係合部２９と、ガイド部２１の下端を露出させるように嵌合する嵌合孔３０ａ  とねじ３１を挿通するための挿通孔３０ｂ  を備えたフランジ３０とが一体に形成されている。係合部２９およびフランジ３０は、図１０に示すように、背もたれ  ６の側部６ａと連結部材取付部２０および背もたれ  ６の湾曲に合わせて、カバー２８の本体から斜めの方向に突出するように形成されている。なお、カバー２８の形状は、連結部材取付部２０の取付箇所によって、係合部２９およびフランジ３０が対称的に形成される。
【００２３】
カバー２８の材質は、例えば基板１４と同様に、ポリプロピレン等の合成樹脂が用いられ、その裏面には、リサイクルが可能なように材質が表示され、同時に、製造業者等も表示されている（図示は省略した）。
【００２４】
カバー２８を背もたれ  ６の連結部材取付部２０に取付けるときは、図１１に示すように、カバー２８の係合部２９を連結部材取付部２０の開放孔２６に係合させると共に、嵌合孔３０ａ  にガイド部１９を露出させるように嵌合し、ねじ３１を挿通孔３０ｂ  に挿通してねじ孔２２に螺合し、固定する。
【００２５】
以上のように構成された椅子は、図３及び図４に示すように、背もたれ  ６の上方に連結部材を介して延長背もたれ３３を取付けることができる。
【００２６】
延長背もたれ３３は、背もたれ  ６と同様に、基板３４の前面にウレタンフォーム等の弾性発泡体からなるクッション部材３５が取付けられ、これらの基板３４とクッション部材３５の略全体を上張部材３６によって包み込むように覆われて構成されたもので、背中に適合するように、湾曲させて形成されている（図２１および図２４参照）。なお、延長背もたれ３３の高さは、図３および図４に示すように、背もたれ  ６の高さに比べて低く設定されている。
【００２７】
基板３４は、背もたれ  ６の基板１４と同様にポリプロピレン等の合成樹脂を用いた成形品で、その両側部には連結部材取付部４０が形成され、表面には剛性を高めるために複数のリブ３４ａ  が設けられている（図２２参照）。クッション部材３５は、基板３４との二重成形により一体成形されたもので、二重成形時に基板３４の表面の形状に合わせて材料が充填されて凝固する。したがって、クッション部材３５はリブ３４ａ  を挟持するように密着し、基板３４から脱落したりずれたりすることがないので、特に接着剤を用いて接着したり、ねじ止め等を行う必要はない。また、クッション部材３５は柔軟性が非常に高いので、変形させることによってリブ３４ａ  との密着が解かれ、基板３４から容易にはがすことも可能である。延長背もたれ３３は、基板３４とクッション部材３５とを二重成形する金型形状によって大きさや湾曲等の形状を設定することができる。
【００２８】
連結部材取付部４０は、基板３４の側方に開放する空間の側壁３４ａ  にリブ４５が水平方向に形成され、リブ４５には連結部材が嵌合される凹部４５ａ  と、その略中央に位置するねじ孔４５ｂ  とが形成されてなるもので、この連結部材取付部４０の上方には、被係合部としての開放孔４６が形成されている。また、この連結部材取付部４０の回りに上張り部材３６の嵌合部材３６ａ  を圧入して係止するための係止溝４１が設けられている（図２１および図２２参照）。
【００２９】
連結部材５０は、図１２ないし図１４に示すように、この実施例の場合、金属製の帯状プレートを折り曲げることによって形成されたもので、その両端には、背もたれ  ６および延長背もたれ３３の連結部材取付部２０，４０  に取付けられる取付部５１，５１  が形成され、これらの取付部５１，５１  の間に中間部５２が形成されている。取付部５１，５１  と中間部５２とは、この実施例の場合、その面が異なる方向に面して形成され、連結部材取付部２０，４０  のリブ２５，４５  と背もたれ  ６および延長背もたれ３３の側部に適合すると共に、また椅子の前後左右の方向に対して剛性が高められている。なお、連結部材５０の長さは、背もたれ  ６と延長背もたれ３３との間に間隙５７が形成されるように設定されている（図２１および図２２参照）。
取付部５１，５１  には、取付ねじ５５を挿通するための挿通孔５３が穿設され、中間部５２の背もたれ  ６と延長背もたれ３３との間に形成された間隙５７と対応する位置には、取付ねじ５６を挿通するための挿通孔５４が穿設されている。
【００３０】
連結部材５０は、取付部５１，５１  を背もたれ  ６の連結部材取付部２０と延長背もたれ３３の連結部材取付部４０とに形成されたリブの凹部２５ａ，４５ａ  に嵌合されると共に、各挿通孔５３にねじ５５，５５  を挿通してねじ孔２５ｂ，４５ｂ  に螺合される。
【００３１】
以上のように、背もたれ  ６の上方に連結部材５０を介して延長背もたれ３３を取付ける場合には、背もたれ  ６のガイド部１９、連結部材取付部２０および係止溝２１と、延長背もたれ３３の連結部材取付部３３および係止溝４１と、背もたれ  ６と延長背もたれ３３を連結する連結部材５０とに亘って覆う延長カバー５８が取付けられる。
【００３２】
延長カバー５８は、図１５ないし図２０に示すように、延長背もたれ３３の連結部材取付部４０の上方の開放孔４６と係合するための係合部５９を備えた上部カバー５８ａ  と、ガイド部１９を露出させるように嵌合する嵌合孔６０ａ  とねじ３１を挿通するための挿通孔６０ｂ  を備えたフランジ６０とを備えた下部カバー５８ｂ  と、これらのカバー５８ａ，５８ｂ  を連結して中間部５２を覆う連結部５８ｃ  とが一体に形成されている。連結部５８ｃ  には、連結部材５０の中間部５２に穿設された挿通孔５４と整合する位置にねじ孔６１が設けられている。係合部５９およびフランジ６０は、図１８ないし図２０に示すように、背もたれ  ６および延長背もたれ３３の側部と連結部材取付部４０および背もたれ  ６の湾曲に合わせて、カバー５８の本体から斜めの方向に突出するように形成されている。なお、カバー２８の形状は、連結部材取付部２０の取付箇所によって、係合部２９およびフランジ３０が対称的に形成される。
【００３３】
延長カバー５８の材質は、基板１４，３４  やカバー２８と同様に、例えばポリプロピレン等の合成樹脂が用いられ、その裏面には、リサイクルが可能なように材質が表示され、同時に、製造業者等も表示されている（図示は省略した）。
【００３４】
延長カバー５８を取付けるときには、図２２ないし図２４に示すように、係合部５９を延長背もたれ３３の連結部材取付部４０の開放孔４６に係合すると共に、フランジ６０の嵌合孔６０ａ  にガイド部１９を露出させるように嵌合し、ねじ３１を挿通孔６０ｂ  に挿通してねじ孔２２に螺合し、連結部材５０の挿通孔５４にねじ５６を挿通して連結部５８ｃ  のねじ孔６１に螺合することによって結合し、背もたれ  ６と延長背もたれ３３と連結部材５０とに固定する。連結部材５０と延長カバー５８との結合操作は、背もたれ  ６と延長背もたれ３３とが湾曲するように形成されると共にこれらの間に間隙５７が形成されているので、ドライバ等の結合操作具を容易に間隙５７に挿入してねじ５６をねじ孔６１に螺合することができる。
【００３５】
なお、本発明に係る椅子は、この実施例に限定されることなく、例えば、基板１４，３４  とカバー２８および延長カバー５８の材質は、同一であれば良く、例えばポリアミドやポリスチレン、ＡＢＳ樹脂のような合成樹脂の他、夫々を一体に形成することのできるものであれば使用することが可能である。
【００３６】
【発明の効果】
本発明によれば、椅子を以上説明したように構成したので、以下に記載するような効果を奏することができる。
【００３７】
両側部の連結部材取付部のガイド部に支持フレームの一対の支柱を挿通することにより背もたれを昇降可能に支持し、この背もたれの両側部の連結部材取付部に対して、延長背もたれの両側部に設けられた連結部材取付部を連結部材によって着脱可能に連結するという極めて簡単な構造によって、椅子の背もたれ自体の高さを変えることができ、背もたれ全体を交換したり椅子全体を交換する必要がなく、したがって無駄がない。しかも、位置調節装置によって、背もたれの支持フレームに対する上下方向の位置を変えることができ、使用者の体格等に合わせてより適正に調節することができる。また、背もたれの側部における連結部材取付部を覆うので見栄えが良い。
【００３８】
本発明は、高さの異なる背もたれを用意する必要がないので、構成する部材の数やその加工工程数を少なくすることができ、加えて容易に組立ることができる。したがって、製造コストを大幅に削減することができる。
【００３９】
廃棄処分する際に、分解、分別が容易であるため、リサイクルすることが容易に可能となる。
【図面の簡単な説明】
【図１】椅子の側面図である。
【図２】椅子の背面図である。
【図３】延長背もたれを取付けた状態を示す椅子の側面図である。
【図４】延長背もたれを取付けた状態を示す椅子の背面図である。
【図５】背もたれの斜視図である。
【図６】ガイド部と連結部材取付部を示す断面図である。
【図７】カバーの正面図である。
【図８】カバーの側面図である。
【図９】カバーの背面図である。
【図１０】カバーの平面図である。
【図１１】背もたれの連結部材取付部にカバーを取付けた状態を示す断面図である。
【図１２】連結部材の正面図である。
【図１３】連結部材の側面図である。
【図１４】連結部材の平面図である。
【図１５】延長カバーの正面図である。
【図１６】延長カバーの側面図である。
【図１７】延長カバーの背面図である。
【図１８】延長カバーの平面図である。
【図１９】図１６のＡ−Ａ線断面図である。
【図２０】図１６のＢ−Ｂ線断面図である。
【図２１】背もたれに連結部材を介して延長背もたれを取付けた状態を示す側面図である。
【図２２】背もたれに連結部材を介して延長背もたれを取付けた状態を示す縦断面図である。
【図２３】背もたれに連結部材を介して延長背もたれを取付けた状態を示す横断面拡大図である。
【図２４】背もたれに連結部材を介して延長背もたれを取付け、延長カバーを取付けた状態を示す斜視図である。
【符号の説明】
１  脚部
２    支持支柱
３    座部
４  支持回動装置
５  背もたれ支持フレーム
６  背もたれ
７  位置調節装置
１４    基板
１９  ガイド部
２０    連結部材取付部
２６    開放孔（被係合部）
２８    カバー
２９    係合部
３０    フランジ
３３    延長背もたれ
３４  基板
４０    連結部材取付部
４６    開放孔（被係合部）
５０    連結部材
５７  間隙
５８    延長カバー
５９    係合部
６０    フランジ
【図１】
0003608085.tif 000002
【図２】
0003608085.tif 000003
【図３】
0003608085.tif 000004
【図４】
0003608085.tif 000005
【図５】
0003608085.tif 000006
【図６】
0003608085.tif 000007
【図７】
0003608085.tif 000008
【図８】
0003608085.tif 000009
【図９】
0003608085.tif 000010
【図１０】
0003608085.tif 000011
【図１１】
0003608085.tif 000012
【図１２】
0003608085.tif 000013
【図１３】
0003608085.tif 000014
【図１４】
0003608085.tif 000015
【図１５】
0003608085.tif 000016
【図１６】
0003608085.tif 000017
【図１７】
0003608085.tif 000018
【図１８】
0003608085.tif 000019
【図１９】
0003608085.tif 000020
【図２０】
0003608085.tif 000021
【図２１】
0003608085.tif 000022
【図２２】
0003608085.tif 000023
【図２３】
0003608085.tif 000024
【図２４】
0003608085.tif 000025